(57)【要約】【課題】装置本体へのユニット収納時における衝撃を緩和すると共に、装置の小型化を図る手段を提供する。【解決手段】装置本体に引出し可能に設けられたユニットと、前記ユニットに設けられたストッパと、前記装置本体内に固定されたストッパ受けと、を備え、前記ストッパ受けに前記ストッパを当接させて、前記ユニットの収納時の位置決めを行う自動取引装置であって、前記ストッパの当接部および前記ストッパ受けの当接部の少なくとも一方に弾性部材を設け、前記ストッパと前記ストッパ受けを、前記弾性部材を介して固定する締結部材を設ける。【選択図】        図６
2017102805.tif 000002
【特許請求の範囲】
【請求項１】
装置本体に引出し可能に設けられたユニットと、前記ユニットに設けられたストッパと、前記装置本体内に固定されたストッパ受けと、を備え、前記ストッパ受けに前記ストッパを当接させて、前記ユニットの収納時の位置決めを行う自動取引装置であって、
前記ストッパの当接部および前記ストッパ受けの当接部の少なくとも一方に弾性部材を設け、
前記ストッパと前記ストッパ受けを、前記弾性部材を介して固定する締結部材を設けたことを特徴とする自動取引装置。
【請求項２】
請求項１に記載の自動取引装置において、
輸送時に、前記ストッパと前記ストッパ受けを、前記締結部材で固定することを特徴とする自動取引装置。
【請求項３】
請求項１または請求項２に記載の自動取引装置において、
前記弾性部材に、前記締結部材を挿通させる挿通穴を形成した、前記弾性部材の変形量を規制する規制部材を設けたことを特徴とする自動取引装置。
【発明の詳細な説明】
【技術分野】
【０００１】
本発明は、装置本体に引出し可能に設けられたユニットの収納時の位置決めを行う位置決め機構を備えた自動取引装置に関する。
【背景技術】
【０００２】
従来の自動取引装置としての現金自動預払機は、装置本体内部に設けられた仕切板上に通帳ユニットを引出し可能に配置し、仕切板上に長穴により移動可能に設けられたストッパ受けと、通帳ユニットの底部にネジで固定されたストッパとを対向配置し、仕切板にストッパ受けを仮固定し、そのストッパ受けに通帳ユニットのストッパを当接させて、ストッパ受けとストッパとをネジで締結し、仮固定したストッパ受けを移動させてユニット収納時の位置決めを行い、位置決め後にストッパ受けを仕切板に固定し、ストッパ受けとストッパを締結したネジを取外して、通帳ユニットの引出しを可能にしている（例えば、特許文献１参照。）。
【０００３】
このような、現金自動預払機を輸送する場合は、輸送時における振動によってユニットの装置本体への接触による破損や変形を防止するために、図１０に示すように、輸送時のみに使用する「Ｌ」字状の輸送専用金具５０を設け、ストッパ５１をストッパ受け５２に突当てた後に、ユニット５４と仕切板５５とを、輸送専用金具５０の長穴５６に挿通させたネジ５７で固定している。
【先行技術文献】
【特許文献】
【０００４】
【特許文献１】特開２０１５−２８６８２号公報（段落００２０、００２２−００２６、第３図、第５図）
【発明の概要】
【発明が解決しようとする課題】
【０００５】
しかしながら、上述した従来の技術においては、ユニットの位置決めに金属製のストッパとストッパ受けを用いているため、保守時等に、ユニットを引出し、点検後にユニットを装置本体内に挿入したときにストッパとストッパ受けとが衝突してユニットに衝撃が加わり、ユニット内に搭載されている印字ヘッド等の各機器の位置ずれや破損が生じる場合があるという問題がある。
【０００６】
また、自動取引装置の輸送時に、ユニットを輸送専用金具で固定しているため、装置設置後は、次の輸送時に使用するために装置内に輸送専用金具の保管場所を設ける必要があり、装置が大型化するという問題がある。
本発明は、上記の問題点を解決するためになされたもので、装置本体へのユニット収納時における衝撃を緩和すると共に、装置の小型化を図る手段を提供することを目的とする。
【課題を解決するための手段】
【０００７】
本発明は、上記課題を解決するために、装置本体に引出し可能に設けられたユニットと、前記ユニットに設けられたストッパと、前記装置本体内に固定されたストッパ受けと、を備え、前記ストッパ受けに前記ストッパを当接させて、前記ユニットの収納時の位置決めを行う自動取引装置であって、前記ストッパの当接部および前記ストッパ受けの当接部の少なくとも一方に弾性部材を設け、前記ストッパと前記ストッパ受けを、前記弾性部材を介して固定する締結部材を設けたことを特徴とする。
【発明の効果】
【０００８】
これにより、本発明は、ユニットを装置本体内に収納するときに、ストッパをストッパ受けに突き当てたときの衝撃を緩和することができると共に、輸送専用金具を不要にして装置の小型化を図ることができるという効果が得られる。
【図面の簡単な説明】
【０００９】
【図１】実施例１の現金自動預払機の外観を示す説明図
【図２】実施例１のカードユニットの引出し状態を示す説明図
【図３】実施例１の図２の矢印Ａ方向から見たストッパ受けを示す説明図
【図４】実施例１の図２の矢印Ａ方向から見たストッパを示す説明図
【図５】実施例１のストッパ機構の輸送時の固定状態を示す説明図
【図６】実施例１のカードユニットの収納状態を示す説明図
【図７】実施例１のカードユニットの輸送時の固定状態を示す説明図
【図８】実施例２のストッパを示す説明図
【図９】実施例２のストッパ機構の輸送時の固定状態を示す説明図
【図１０】従来の輸送時におけるユニットの固定状態を示す説明図
【発明を実施するための形態】
【００１０】
以下に、図面を参照して本発明による自動取引装置の実施例について説明する。
【実施例１】
【００１１】
以下に、図１ないし図６を用いて本実施例の現金自動預払機について説明する。
本実施例の自動取引装置としての現金自動預払機１は、銀行等の金融機関の支店やコンビニエンスストア等の店舗に設置され、金融機関のセンタに設置された図示しないホストコンピュータと接続しており、顧客との間での紙幣を用いた取引処理を自動で行う機能等を有している。
【００１２】
また、本実施例の現金自動預払機１は、図１、図２に示すように、装置本体２の上部に設けられたヒンジにより、図２に示す矢印Ｂ方向に回動するフロントカバー３と、前面扉４を備えている。
操作表示部５は、現金自動預払機１の前面側に設けられ、ＬＣＤ等の表示画面とタッチパネル等の入力手段等を備えており、表示画面に取引選択画面や各種の入力画面等を表示する機能、入力手段により顧客による選択入力を受付ける機能等を有している。
【００１３】
入力部６は、テンキー等の入力キーを備えており、顧客による暗証番号や金額等の入力を受付ける機能等を有している。
紙幣入出金部８は、入金取引時等にフロントカバー３に設けられた紙幣入出金口８ａのシャッタを開放して顧客が投入した紙幣を受入れ、これを鑑別および計数して収納庫に収納し、出金取引時等に収納庫から出金する紙幣を繰出し、これを鑑別および計数して紙幣入出金口８ａに集積し、集積した紙幣を、シャッタを開放して顧客に引渡す機能等を有している。
【００１４】
ユニットとしてのカードユニット１０は、フロントカバー３に設けられたカード挿入口１０ａから挿入された顧客のキャッシュカードやクレジットカード等の取引カードの磁気ストライプやＩＣチップ等に記録されているカード情報を読み書きする機能を有している。
また、カードユニット１０は、感熱式等の印刷ヘッドを備えており、レシート用紙に取引内容等を印字してカード挿入口１０ａから発行する機能、取引終了時に挿入された取引カードや明細票をカード挿入口１０ａから排出して顧客に引渡す機能等を有している。
【００１５】
本実施例のカードユニット１０は、図２に示すように、装置本体２に設けられた水平方向の仕切板１１ａ上に配置され、ユニット筐体の引出し方向（図２に示す矢印Ｃ方向）に沿った両側のユニット側板１０ａと、装置本体２に設けられた垂直方向の仕切板１１ｂとに取付けられたスライドレール１２に支持されており、フロントカバー３を開放して前面側に引出し可能に搭載されている。
【００１６】
また、カードユニット１０には、ロックレバー１３とロックポスト１４からなるロック機構が設けられており、カードユニット１０の装置本体２への収納時に、仕切板１１ａに設けられたロックポスト１４に、ユニット側板１０ａに設けられたロックレバー１３先端の鉤部１３ａが係合して、カードユニット１０の引出し方向への移動が制限される（図５参照）。
更に、カードユニット１０には、仕切板１１ａに設けられたストッパ受け１５と、ユニット側板１０ａに設けられたストッパ１６からなる位置決め機構が設けられている。
【００１７】
本実施例のストッパ受け１５は、鋼板等で、取付部１５ａの両側に側壁を立設させ、取付部１５ａの一端に当接部１５ｂを設けた「コ」の字状の断面形状の金属製部材であって（図５参照）、図３に示すように、その取付部１５ａには、ネジ１７を挿通させる円形の取付穴１５ｃが形成されている。
また、ストッパ受け１５の当接部１５ｂには、締結手段としての固定ネジ１８（図６参照）を螺合させるネジ穴１５ｄが設けられている。
【００１８】
このようなネジ穴１５ｄは、当接部１５ｂに形成されたネジ穴１５ｄの下穴をバーリング加工し、それにより形成された下穴にタップ等によりネジ切りをして形成する。
本実施例のストッパ１６は、図４に示すように、鋼板等で、取付部１６ａの両側に側壁を立設させ、取付部１６ａの一端に当接部１６ｂを設けた「コ」の字状の断面形状の金属製部材であって（図５参照）、その取付部１６ａには、ネジ１７を挿通させる、矩形の長手方向の両端部を円弧状に形成した長穴１６ｃが形成されている。
また、ストッパ１６の当接部１６ｂには、弾性部材としてのゴム２１が接着等により取付けられている。
【００１９】
このゴム２１は、合成ゴム等で形成された肉厚の円筒状部材であって、その先端部は、頂面２１ａを有する円錐台状に形成され、その軸芯には、固定ネジ１８を挿通させる挿通穴２１ｂが形成されている。
上記の、ストッパ受け１５は、図５に示すように、当接部１５ｂを、ストッパ１６の当接部１６ｂに対向させ、取付部１５ａに設けた取付穴１５ｃに挿通させたネジ１７により装置本体２の仕切板１１ｂに固定される。
【００２０】
また、ストッパ１６は、当接部１６ｂを、ストッパ受け１５の当接部１５ｂに対向させ、取付部１６ａに設けた長穴１６ｃに挿通させたネジ１７によりユニット側板１０ａに移動可能に取付けられる。
なお、本実施例の仕切板１１ａには、図５に示すように、カードユニット１０の引出し方向の下流側（本実施例では前面側）の、フロントカバー３の開放時に視認可能な位置に、現金自動預払機１の運用時に固定ネジ１８を螺合させて保管するためのネジ穴からなる保管穴２２が設けられている。
【００２１】
上記の構成の現金自動預払機１の取引処理の処理動作について、出金取引を例に説明する。
顧客が、出金取引を行うために、現金自動預払機１の操作表示部５に表示されている取引選択画面から出金取引を選択すると、これを操作表示部５の入力手段により受付けた現金自動預払機１は、操作表示部５に取引カードの挿入を促す画面を表示する。
【００２２】
顧客が、カードユニット１０のカード挿入口１０ａへ取引カードを挿入すると、これを検知した現金自動預払機１は、挿入された取引カードに記録されているカード情報を読取り、操作表示部５に暗証番号の入力を促す画面を表示し、顧客は入力部６の入力キーによって暗証番号を入力する。
暗証番号の入力を受付けた現金自動預払機１は、操作表示部５に出金金額の入力画面を表示し、顧客は、出金する金額を入力部６の入力キーによって入力する。
【００２３】
この出金金額の入力を受付けた現金自動預払機１は、取引カードから読取ったカード情報と、入力された暗証番号、出金金額を図示しないホストコンピュータへ送信し、ホストコンピュータは、顧客認証や口座残高の更新を行って送信元の現金自動預払機１へ取引許可通知を送信する。
取引許可通知を受信した現金自動預払機１の現金自動預払機１は、紙幣入出金部８の収納庫から、出金金額に相当する紙幣を繰出して鑑別、計数し、鑑別後の出金紙幣を紙幣入出金口８ａに集積して待機させる。
【００２４】
顧客に支払うべき出金紙幣を集積した現金自動預払機１は、操作表示部５に出金紙幣や取引カード等の受取を促す画面を表示して、フロントカバー３に設けられているシャッタを開放し、顧客は、シャッタが開放された紙幣入出金口８ａから、そこに集積されている紙幣を取出すと共に、カードユニット１０のカード挿入口１０ａから排出された取引カード等を受取る。
そして、現金自動預払機１は、顧客による出金紙幣や取引カード等の受取を確認して今回の出金取引の取引処理を終了させる。
このようにして、本実施例の現金自動預払機１による取引処理の処理動作が実行される。
【００２５】
上記した現金自動預払機１のカードユニット１０の位置決め作業について、図２、図６を用いて説明する。
現金自動預払機１の製造時等に、カードユニット１０の位置決めを行う作業員は、図２に示すように、フロントカバー３と前面扉４（図１参照）を開放し、スライドレール１２によりカードユニット１０を引出し方向に引出してカードユニット１０のユニット側板１０ａを外部に露出させる。
【００２６】
そして、装置本体２の仕切板１１ｂに、ストッパ受け１５をネジ１７により固定し、露出させたユニット側板１０ａに、ゴム２１を装置本体２側に向けたストッパ１６を、長穴１６ｃに挿通させたネジ１７により移動可能に仮止めする。
ストッパ１６の仮止め後に、作業員は、スライドレール１２によりカードユニット１０を収納方向（図２に示す矢印Ｃの逆方法をいう。）に移動させ、ストッパ１６のゴム２１をストッパ受け１５に突当てる。
【００２７】
ストッパ受け１５への突当て後に、作業員は、治具を用いてカードユニット１０の位置出しを行い、図６に示すように、ラチェット工具等を用いて仮止めしたストッパ１６をネジ１７によりユニット側板１０ａに固定し、ロック機構のロックポスト１４とロックレバー１３との位置合せを行い、カードユニット１０の位置決め作業を終了させる。
このとき、輸送時にストッパ１６とストッパ受けを固定するための固定ネジ１８は、仕切板１１ａの保管穴２２に締付けられた状態で装置本体２内に保管される。
【００２８】
以下に、本実施例の現金自動預払機１の輸送時におけるカードユニット１０と装置本体２との固定作業について、図５ないし図７を用いて説明する。
本実施例の現金自動預払機１を輸送する場合、作業員は、フロントカバー３を開放して仕切板１１ａの保管穴２２に保管されている固定ネジ１８を取外し、図５に示すように、収納状態のカードユニット１０に取付けられたストッパ１６のネジ１７を緩めて移動可能に仮止めする。
【００２９】
ストッパ１６の仮止め後に、作業員は、ストッパ１６の当接部１６ｂに設けられたゴム２１の頂面２１ａを、ストッパ受け１５の当接部１５ｂに押し付け、図６、図７に示すように、ストッパ１６側からゴム２１の挿通穴２１ｂに固定ネジ１８を挿通させて、ストッパ受け１５の当接部１５ｂに設けられたネジ穴１５ｄに螺合させ、規定トルクで締付けてストッパ１６をゴム２１を介してストッパ受け１５に固定する。
そして、作業員は、ストッパ１６を仮止めしたネジ１７を締付けてストッパ１６をカードユニット１０に固定し、カードユニット１０を装置本体２に固定する。
【００３０】
このときの固定ネジ１８による締結は、ゴム２１の弾性範囲内であって、輸送時の収納方向の振動等によって塑性変形が生じない程度の規定トルクで締付けられる。
カードユニット１０の装置本体２への固定後に、作業員は、ロック機構のロックポスト１４とロックレバー１３の鉤部１３ａの間には、ゴム２１の変形に伴う隙間が生じているため（図７参照）、作業員は、輸送時におけるロックポスト１４とロックレバー１３との衝突を防止するために、これらをインシュロックタイ等の固縛帯で固定する。
【００３１】
そして、現金自動預払機１の輸送後に、現金自動預払機１を設置する場合、作業員は、ニッパ等により固縛帯を切断してロック機構のロックポスト１４とロックレバー１３との固定を解除し、位置決め機構のストッパ１６とストッパ受け１５を固定している固定ネジ１８を取り外し、取外した固定ネジ１８を仕切板１１ａの保管穴２２に締付けて固定ネジ１８を次の輸送のために保管する。
【００３２】
固定ネジ１８の保管後に、作業員は、一旦カードユニット１０を引出した後に収納方向に移動させ、その後にストッパ１６のゴム２１をストッパ受け１５の当接部１５ｂに突き当てて、カードユニット１０と装置本体２との位置決めを行う。
このとき、本実施例のゴム２１は、ゴム２１の弾性範囲内であって、輸送時の収納方向の振動等によって塑性変形が生じない程度の規定トルクで締付けられており、固定ネジ１８による固定の解除後は、元の状態に復帰するので、現金自動預払機１の輸送後の設置時におけるカードユニット１０の上記した位置決め作業を省略することができる。
【００３３】
以上説明したように、本実施例では、カードユニット１０の収納時の位置決めを、ストッパ受け１５の当接部１５ｂとストッパの当接部１６ｂとをゴム２１を介して当接させて行うので、現金自動預払機１に保守時等に、作業員がカードユニット１０を引出し、点検後にカードユニット１０を装置本体２内に収納するときに、カードユニット１０を収納方向に押込んでストッパ１６をストッパ受け１５に突き当てたときの衝撃を緩和することができ、カードユニット１０内の各機器の位置ずれや破損を防止することができる。
また、本実施例のゴム２１の先端部は円錐台状に形成されているので、比較的強い力でカードユニット１０を収納方向に押込んだとしても、ストッパ１６とストッパ受け１５との突き当時における衝撃を緩和することが可能になる。
【００３４】
更に、本実施例の現金自動預払機１は、輸送時に、ストッパ１６とストッパ受け１５とをゴム２１を介して固定ネジ１８で固定し、設置時に取外した固定ネジ１８を仕切板１１ａの保管穴２２に締付けて保管するので、装置本体２内に、輸送専用金具５０の保管場所を設ける必要がなくなり、装置の小型化を図ることができると共に、輸送専用金具５０の製作に要する費用を不要にして部品コストを削減することができる他、現金自動預払機１の輸送時におけるカードユニット１０の固定作業や、輸送後の現金自動預払機１の設置作業の効率化を図ることができる。
【実施例２】
【００３５】
以下に、図８および図９を用いて本実施例の現金自動預払機について説明する。なお上記実施例１と同様の部分は、同一の符号を付してその説明を省略する。
本実施例のストッパ１６には、図８に示すように、その当接部１６ｂに、先端部が頂面２４ａを有する円錐台状に形成された弾性部材としてのゴム２４が取付けられ、ゴム２４の軸芯側には、規制部材としてのカラー２５が設けられている。
カラー２５は、鋼板等の金属で形成された薄肉の円筒状部材であって、その軸芯には、固定ネジ１８を挿通させる挿通穴２５ａが形成され、ストッパ１６の当接部１６ｂ側には、鍔部２５ｂが形成されている。
【００３６】
また、ゴム２４には、カラー２５の円筒部の外径に嵌合する嵌合穴２４ｂが形成され、その頂面２４ａと、カラー２５の鍔部２５ｂの反対側の端面２５ｃとの間の距離Ｄは、固定ネジ１８による締付けにより、端面２５ｃがストッパ受け１５の当接部１５ｂに当接したときに（図９参照）、ゴム２４の弾性範囲内であって、塑性変形が生じない距離に設定されている。
これにより、本実施例のカラー２５は、ゴム２４の変形量を規制する規制部材として機能する。
なお、本実施例のストッパ受け１５は、上記実施例１と同様である（図９参照）。
【００３７】
このような現金自動預払機１のカードユニット１０の位置決め作業は、上記実施例１と同様であるので、その説明を省略する。
なお、本実施例のゴム２４は、現金自動預払機１の運用時には、頂面２４ａが、カラー２５の端面２５ｃから突出しているので、上記実施例１と同様に、カードユニット１０を収納方向に押込んでストッパ１６をストッパ受け１５に突き当てたときの衝撃を緩和することができ、カードユニット１０内の各機器の位置ずれや破損を防止することができる。
【００３８】
以下に、本実施例の現金自動預払機１の輸送時におけるカードユニット１０と装置本体２との固定作業について、図９を用いて説明する。
本実施例の現金自動預払機１を輸送する場合、作業員は、フロントカバー３を開放して仕切板１１ａの保管穴２２に保管されている固定ネジ１８を取外し、収納状態のカードユニット１０に取付けられたストッパ１６のネジ１７を緩めて移動可能に仮止めする。
【００３９】
ストッパ１６の仮止め後に、作業員は、ストッパ１６の当接部１６ｂに設けられたゴム２４の頂面２４ａを、ストッパ受け１５の当接部１５ｂに押し付け、図９に示すように、ストッパ１６側からゴム２４のカラー２５の挿通穴２５ａに固定ネジ１８を挿通させて、ストッパ受け１５の当接部１５ｂに設けられたネジ穴１５ｄに螺合させ、規定トルクで締付けてストッパ１６をゴム２４を介してストッパ受け１５に固定する。
そして、作業員は、ストッパ１６を仮止めしたネジ１７を締付けてストッパ１６をカードユニット１０に固定し、カードユニット１０を装置本体２に固定する。
【００４０】
このとき、上記実施例１のゴム２１の場合は、作業員の過誤により規定トルクを超えるトルクで固定ネジ１８を締付けたときは、ゴム２１に塑性変形が生じて固定ネジ１８が緩んでしまったり、固定ネジ１８の取外し後に、装置本体２とカードユニット１０の位置がズレてしまう場合があるが、本実施例のゴム２４の頂面２４ａと、カラー２５の端面２５ｃとの間の距離Ｄは、固定ネジ１８による締付けにより、端面２５ｃがストッパ受け１５の当接部１５ｂに当接したときに、ゴム２４の弾性範囲内であって、塑性変形が生じない距離に設定されているので、規定トルクを超えるトルクで固定ネジ１８を締付けたとしても、ゴム２４に塑性変形が生ずることはない。
その後の作業員によるロック機構の固定、および現金自動預払機１の輸送後の設置におけるカードユニット１０の位置決めは、上記実施例１と同様であるので、その説明を省略する。
【００４１】
以上説明したように、本実施例では、上記実施例１と同様の効果に加えて、ゴム２４にカラー２５を設け、そのカラー２５によりゴム２４の変形を規制するので、規定トルクを超えるトルクで固定ネジ１８を締付けたとしても、現金自動預払機１の輸送時におけるゴム２４の塑性変形を防止することができ、輸送時における固定ネジ１８の緩みや、固定ネジ１８の取外し後の装置本体２とカードユニット１０との位置ズレを防止することができる。
【００４２】
なお、上記各実施例においては、ロック機構のロックポスト１４を装置本体２側に、ロックレバー１３をカードユニット１０に設けるとして説明したが、ロックポスト１４をカードユニット１０に、ロックレバー１３を装置本体２側に設けるようにしてもよい。
また、上記各実施例においては、ゴム２１等の弾性部材をストッパ１６に設けるとして説明したが、弾性部材をストッパ受け１５に設けるようにしてもよく、ストッパ１６およびストッパ受け１５の両方に設けるようにしてもよい。
【００４３】
更に、上記各実施例においては、ユニットは、現金自動預払機１のカードユニット１０であるとして説明したが、通帳ユニットや紙幣入出金ユニット、硬貨入出金ユニット等の装置本体２から引出可能に構成されたユニットに、本発明のストッパ１６およびストッパ受け１５を適用すれば、上記と同様の効果を得ることができる。
更に、上記各実施例においては、自動取引装置は、現金自動預払機であるとして説明したが、自動取引装置は、現金処理機や無人契約機等であってもよい。
【符号の説明】
【００４４】
１    現金自動預払機
２    装置本体
３    フロントカバー
４    前面扉
５    操作表示部
６    入力部
８    紙幣入出金部
８ａ  紙幣入出金口
１０  カードユニット
１０ａ  カード挿入口
１１ａ、１１ｂ、５５  仕切板
１２  スライドレール
１３  ロックレバー
１４  ロックポスト
１５、５２  ストッパ受け
１５ａ、１６ａ  取付部
１５ｂ、１６ｂ  当接部
１５ｃ  取付穴
１５ｄ  ネジ穴
１６、５１  ストッパ
１６ｃ、５６  長穴
１７、５７  ネジ
１８固定ネジ
２１、２４  ゴム
２１ａ、２４ａ  頂面
２１ｂ、２５ａ  挿通穴
２２  保管穴
２４ｂ  嵌合穴
２５  カラー
２５ｂ  鍔部
２５ｃ  端面
５０  輸送専用金具
５４  ユニット
【図１】
2017102805.tif 000003
【図２】
2017102805.tif 000004
【図３】
2017102805.tif 000005
【図４】
2017102805.tif 000006
【図５】
2017102805.tif 000007
【図６】
2017102805.tif 000008
【図７】
2017102805.tif 000009
【図８】
2017102805.tif 000010
【図９】
2017102805.tif 000011
【図１０】
2017102805.tif 000012